(57)【要約】【課題】落ち着いた雰囲気を醸し出すことができる発光体から発せられた光を動的に照射するようにしたデザイン照明装置を提供すること。【解決手段】発光体１と、液体貯留部２と、起振手段４とを備え、発光体１から発せられた光を液体貯留部２に貯留された液体３の表面３１を透過させて照射するようにする。【選択図】図２
2005116344.tif 000002
【特許請求の範囲】
【請求項１】
発光体と、液体貯留部と、液体貯留部に貯留された液体の表面に動きを生じさせる手段とを備え、発光体から発せられた光を液体貯留部に貯留された液体の表面を透過させて照射するようにしたことを特徴とするデザイン照明装置。
【請求項２】
発光体と液体貯留部との距離を可変にしたことを特徴とする請求項１記載のデザイン照明装置。
【請求項３】
液体貯留部の底部を曲面に形成したことを特徴とする請求項１又は２記載のデザイン照明装置。
【請求項４】
液体貯留部に貯留された液体の表面に動きを生じさせる手段を起振手段で構成したことを特徴とする請求項１、２又は３記載のデザイン照明装置。
【請求項５】
起振手段を回転軸に偏心錘を配したモータで構成したことを特徴とする請求項４記載のデザイン照明装置。
【発明の詳細な説明】
【技術分野】
【０００１】
本発明は、デザイン照明装置に関し、特に、発光体から発せられた光を動的に照射するようにしたデザイン照明装置に関するものである。
【背景技術】
【０００２】
従来、発光体から発せられた光を動的に照射するようにしたデザイン照明装置として、ミラーボールや光ファイバーを利用したものが提案されている。
【０００３】
ところで、この種のデザイン照明装置は、パーティー等の華やかな場所で使用されるものが多く、このため、落ち着いた雰囲気の飲食店等での使用には適したものは存在しなかった。
【発明の開示】
【発明が解決しようとする課題】
【０００４】
本発明は、上記従来の発光体から発せられた光を動的に照射するようにしたデザイン照明装置の有する問題点に鑑み、落ち着いた雰囲気を醸し出すことができる発光体から発せられた光を動的に照射するようにしたデザイン照明装置を提供することを目的とする。
【課題を解決するための手段】
【０００５】
上記目的を達成するため、本発明のデザイン照明装置は、発光体と、液体貯留部と、液体貯留部に貯留された液体の表面に動きを生じさせる手段とを備え、発光体から発せられた光を液体貯留部に貯留された液体の表面を透過させて照射するようにしたことを特徴とする。
【０００６】
この場合において、発光体と液体貯留部との距離を可変にすることができる。
【０００７】
また、液体貯留部の底部を曲面に形成することができる。
【０００８】
また、液体貯留部に貯留された液体の表面に動きを生じさせる手段を、起振手段、より具体的には、回転軸に偏心錘を配したモータから構成することができる。
【発明の効果】
【０００９】
本発明のデザイン照明装置によれば、起振手段により液体貯留部に貯留された液体の表面に動きが生じ、発光体から発せられた光が、液体貯留部に貯留された液体の表面を透過することによって揺らいで照射され、意匠性に富み、趣のある照明を行うことができる。
【００１０】
また、発光体と液体貯留部との距離を可変にすることにより、光の照射状態を変えることができ、１つの装置によって、異なる照明を行うことができる。
【００１１】
また、液体貯留部の底部を曲面に形成することにより、発光体から発せられた光の像を照射物にはっきりと照射することができる。
【００１２】
また、液体貯留部に貯留された液体の表面に動きを生じさせる手段を、起振手段、より具体的には、回転軸に偏心錘を配したモータで構成することにより、動力源を含む起振手段を簡易に構成することができる。
【発明を実施するための最良の形態】
【００１３】
以下、本発明のデザイン照明装置の実施の形態を、図面に基づいて説明する。
【実施例１】
【００１４】
図１〜図４に、本発明のデザイン照明装置の一実施例を示す。
このデザイン照明装置は、発光体１と、液体３を貯留した液体貯留部２と、液体貯留部２に貯留された液体３の表面３１に動きを生じさせる手段としての起振手段４とを備え、発光体１から発せられた光を液体貯留部２に貯留された液体３の表面３１を透過させて照射するようにしている。
【００１５】
この場合において、発光体１には、特に限定されるものではないが、点状の光源である発光ダイオードを好適に用いることができ、本実施例においては、複数個の発光体１を配した基板５を、上カバー６を取り付けるようにしている。
そして、発光体１は、複数個を適当な形状、例えば、幾何学模様、文字、図形等を形成するように配置したり、発光体１に、異なる発光色の発光体を用いることができる。
【００１６】
液体貯留部２に貯留する液体３には、水等の任意の液体を使用することができ（起振手段４との関係で、水よりも粘度の高い液体を使用することもできる。）、必要に応じて、液体３を補給できるように構成することもできる。
なお、液体３は、液体貯留部２に上部に空間ができ、起振手段４により液体貯留部２に貯留された液体３の表面３１に動きが生じる程度の量を貯留するようにする。
【００１７】
発光体１を配した基板５を取り付けた上カバー６と、液体貯留部２とは、複数本のシャフト７を介して、その間の距離を可変に構成するようにしている。
これにより、光の照射状態を変えることができ、１つの装置によって、異なる照明を行うことができる。
【００１８】
液体貯留部２は、発光体１から発せられた光が透過する透明で、無色又は任意の色に着色した材料でもって形成するようにする。
液体貯留部２は、特に限定されるものではないが、本実施例においては、その底部２１を曲面、より具体的には、略半球状に形成することにより、液体貯留部２に貯留された液体３がレンズの機能を奏して、発光体１から発せられた光の像の照射物にはっきりと照射することができるようにしている。
なお、液体貯留部２の底部２１は、略半球状に形成するほか、平面形状としたり、波形形状としたり、さらには、プリズム状に構成することができる。
【００１９】
液体貯留部２に貯留された液体３の表面３１に動きを生じさせる手段としての起振手段４には、回転軸に偏心錘４２を配したモータ４１を用いることができ、特に限定されるものではないが、本実施例においては、デザイン照明装置を吊り下げている電源コード８の途中に配設するようにしている。
これにより、動力源を含む起振手段４を簡易に構成することができる。
なお、起振手段４を構成するモータ４１の回転数は、特に限定されるものではないが、例えば、数十〜数百ｒｐｍ程度の比較的低回転数とする。
また、液体貯留部２に貯留された液体３の表面３１に動きを生じさせる手段には、起振手段４のほか、気泡発生装置や気流発生装置（ファン）等を用いることができる。
【００２０】
このデザイン照明装置によれば、液体貯留部２に貯留された液体３の表面３１に動きを生じさせる手段としての起振手段４により液体貯留部２に貯留された液体３の表面３１に規則的な動きが生じ、発光体１から発せられた光が、液体貯留部２に貯留された液体３の表面３１を透過することによって、図４に示すように揺らいで照射され（図４に示す矢印は照射された光９の軌跡の一例を示す。なお、照射される光９は、発光体１を配した基板５を取り付けた上カバー６と、液体貯留部２との間の距離を可変にすることにより、デザイン照明装置の用途に応じて、発光体から発せられた光の像を照射物１０にはっきりと照射するようにしたり、ぼんやりと照射するようにができる。）、意匠性に富み、趣のある照明を行うことができる。
【００２１】
以上、本発明のデザイン照明装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明のデザイン照明装置は、意匠性に富み、趣のある照明を行うことができるという特性を有していることから、落ち着いた雰囲気の飲食店等での照明の用途に好適に用いることができるほか、例えば、ディスプレイ等の用途にも広く用いることができる。
【図面の簡単な説明】
【００２３】
【図１】本発明のデザイン照明装置の一実施例を示す正面図である。
【図２】同断面図である。
【図３】発光体の配置例を示す説明図である。
【図４】照射された光の軌跡を示す模式図である。
【符号の説明】
【００２４】
１    発光体
２    液体貯留部
２１  液体貯留部の底部
３    液体
３１  液体の表面
４    起振手段
４１  モータ
４２  偏心錘
５    基板
６    上カバー
７    シャフト
８    電源コード
９    照射された光
１０  照射物
【図１】
2005116344.tif 000003
【図２】
2005116344.tif 000004
【図３】
2005116344.tif 000005
【図４】
2005116344.tif 000006